(57)【要約】【課題】多くの顧客の来店を促進することが可能な来店促進用顧客カードを提供する。【解決手段】来店促進用顧客カード１０は、予め定めた特定期間を表示するカレンダー１と、３行３列のマトリクスで配置される９個のマス目３を有する購買確認欄２とを備える。各マス目３は、それぞれ前記特定期間内の異なる日付が表示される日付表示部４を有し、特に購買確認欄２における４隅のマス目３のうちの、斜めに対向しているそれぞれの一組のマス目３を結ぶ２通りの対角線上に共通に位置している中央のマス目３ａの日付表示部４を、前記特定期間内で他のマス目３の日付表示部４に表示される日付よりも早い複数の日付を表示する第１複数日付表示部４ａとする。【選択図】図１
0003221354.tif 000002
【実用新案登録請求の範囲】
【請求項１】
小売店が顧客の来店を促進するために顧客に供与される来店促進用顧客カードであって、
予め定められる特定期間を表示するカレンダーと、
３行３列のマトリクスで配置される９通りのマス目と、
前記マス目のそれぞれに対応して各々が前記特定期間内の異なる日付が表示される日付表示部と、
を備え、
前記購買確認欄における４隅の前記マス目のうちの、斜めに対向しているそれぞれの一組の前記マス目を結ぶ２通りの対角線上に共通に位置している中央マス目の前記日付表示部を、前記特定期間内で他の前記マス目の前記日付表示部に表示される日付よりも早い複数の日付を表示する第１複数日付表示部とし、
前記マス目は、対応する前記日付表示部に表示されている日付の日に所定条件の買い物をしたとき購買証明マークを付すことが可能な広さのスペースを有する来店促進用顧客カード。
【請求項２】
前記４隅の前記マス目の中の少なくとも一つのマス目の前記日付表示部を、前記特定期間内で他の前記マス目の前記日付表示部に表示される日付よりは早く、前記複数日付表示部に表示される日付よりは遅い複数の日付を表示する第２複数日付部とする請求項１に記載の来店促進用顧客カード。
【請求項３】
前記日付表示部に表示されている日付に顧客が所定条件の買い物をしたとき該当する前記マス目に購買証明マークが付されて、行又は列若しくは前記対角線の斜め列で連続する全ての前記マス目に前記購買証明マークが付された行，列，斜め列の合計数を記入する達成数記入欄を有する請求項１又は２に記載の来店促進用顧客カード。
【請求項４】
前記達成数記入欄に記入の数値に応じたポイント点数を記入するポイント記入欄をさらに有する請求項３に記載の来店促進用顧客カード。
【請求項５】
前記マス目の全てに前記購買証明マークが付されたときの前記ポイント点数を記入するパーフェクト記入欄をさらに有する請求項４に記載の来店促進用顧客カード。
【請求項６】
前記特定期間内の日付であって、前記マス目の何れの前記日付表示部にも表示されている日付より遅い日付を表示し、表示している日付の日に所定条件の買い物をしたとき第２購買証明マークが付される第２購買確認欄を有する請求項５に記載の来店促進用顧客カード。
【請求項７】
前記日付表示部及び前記第２購買確認欄は、それぞれ特定の曜日の日付を表示する請求項６に記載の来店促進用顧客カード。
【請求項８】
前記第１購買証明マーク又は前記第２購買証明マークが付される買い物時の支払いに電子マネーカードで決済されたとき電子マネー使用マークが付される電子マネーボーナス欄をさらに備え、
前記電子マネー使用マークが付されると、前記第１マーク枠と前記第２マーク枠の数が前記所定数以上となったとき前記総計ポイント数又は前記パーフェクトポイント数に、さらに前記第３ポイント数を加えたポイント数が前記獲得総ポイント記入欄へ記入できるようにした請求項６に記載の来店促進用顧客カード。
【考案の詳細な説明】
【技術分野】
【０００１】
本考案は、来店促進用顧客カードに関するものであり、特に、顧客の来店日と来店状況とを目視できる形で記録する来店促進用顧客カードに関する。
【背景技術】
【０００２】
近年の小売業者においては、小売店舗等での商品やサービスの購入代金の額に応じて顧客にポイントを付与し、そのポイントの累計数に応じて商品価格の割引等の特典を供与することにより顧客の囲い込みを図ることが広く行われている。また、小売業者によっては、会員への入会の際にボーナスポイントを付与したり、店舗に来店して何らかの商品を購入してくれた顧客に対して来店の都度ポイントを付加したりして、これを購入代金の額に応じて付与されるポイントに加える例も見られる。
【０００３】
しかしながら、このような従来のポイントサービスは、現在多くの店舗において行われるようになり、競業者と差別化が図れなくなってきている。そこで、顧客の来店への意識を高めるために、顧客の来店日と来店状況とを目視できる形で記録することでゲームにつなげ、ゲームの結果に応じて顧客に所定の販売サービスを提供することが行われてきている。
【０００４】
ゲームの形態としてはビンゴゲームがあり、ビンゴゲームに使用される来店促進用顧客カードは、マトリクス状に分割される複数の区画にそれぞれ異なる営業日の日付を表記する日付表記欄を有しており、店舗は、各区画に表示されている日付に顧客が訪問したときスタンプを捺印し、行又は列若しくは斜めの列で連続する区画に全てスタンプが押すとビンゴの成立とし、成立させた顧客には特典を提供することで、顧客の来店への意識を高めてもらおうとするものである（例えば、特許文献１及び２を参照）。
【先行技術文献】
【特許文献】
【０００５】
【特許文献１】実用新案登録第３１１０９１５号公報
【特許文献２】実用新案登録第３１１２６７３号公報
【考案の概要】
【考案が解決しようとする課題】
【０００６】
小売店は、日付表記欄に表記されている日の来店を促進すべく、このようなビンゴゲームを模した来店促進用顧客カードを用いて、ビンゴ成立の本数に応じた特典サービスを提供するよう運用している。
【０００７】
しかしながら、顧客にとってはビンゴを成立させるための来店日が決められていると、ゲームを実施する特定期間の初期において、顧客の買い物する日がカードの日付表記欄に一致していなかったときには、顧客は積極的にビンゴを完成させる意欲が沸かず、小売店にとって来店促進につながらない。
【０００８】
上記点から本発明は、特定期間に亘り顧客が積極的に小売店を訪問する意欲を維持させる来店促進用顧客カードを提供することを目的としている。
【課題を解決するための手段】
【０００９】
上記課題を解決するために、小売店が顧客の来店を促進するために顧客に供与される本考案に係る来店促進用顧客カードは、予め定められる特定期間を表示するカレンダーと、３行３列のマトリクスで配置される９通りのマス目と、前記マス目のそれぞれに対応して各々が前記特定期間内の異なる日付が表示される日付表示部と、を備え、前記購買確認欄における４隅の前記マス目のうちの、斜めに対向しているそれぞれの一組の前記マス目を結ぶ２通りの対角線上に共通に位置している中央マス目の前記日付表示部を、前記特定期間内で他の前記マス目の前記日付表示部に表示される日付よりも早い複数の日付を表示する第１複数日付表示部とし、前記マス目は、対応する前記日付表示部に表示されている日付の日に所定条件の買い物をしたとき購買証明マークを付すことが可能な広さのスペースを有する構成としている。
【００１０】
加えて、前記４隅の前記マス目の中の少なくとも一つのマス目の前記日付表示部を、前記特定期間内で他の前記マス目の前記日付表示部に表示される日付よりも早く、前記複数日付表示部に表示される日付よりは遅い複数の日付を表示する第２複数日付部とすれば、早い時期にビンゴを成立させるチャンスが高まるため、顧客のゲームに参加する意欲がさらに高まる。
【００１１】
そして、来店促進用顧客カードには、前記日付表示部に表示されている日付に顧客が小売店を訪問したとき該当する前記マス目に購買証明マークが付されて、行又は列若しくは前記対角線の斜め列で連続する全ての前記マス目に前記購買証明マークが付されたとき、その行，列，斜め列の合計数を記入する達成数記入欄を設けるとよい。加えて、達成数記入欄に表記の数値に応じたポイント点数を記入するポイント記入欄をさらに備える。
【００１２】
一方で、前記マス目の全てに前記購買証明マークが付されたときの前記ポイント点数を記入するパーフェクト記入欄を備えるとよい。この場合、パーフェクトポイントは、全てのマス目に購買証明マークが付されたときの達成数に応じたポイント点数よりも高い点数に設定する使い方ができる。
【００１３】
ある実施形態による来店促進用顧客カードでは、前記特定期間内の日付であって、前記マス目の何れの前記日付表示部にも表示されておらず且つ前記第１複数日付表示部に表示されているより遅い日付を表示し、当該日付に顧客が来店したとき第２購買証明マークが付される第２購買確認欄を有する。この第２購買確認欄へ第２購買証明マークが付されると、この第２購買証明マークはワイルドカードとして、購買証明マークが付されていない任意のマス目に前記来店情報に振り替えできるような使い方が可能となる。
【００１４】
ここでの前記日付表示部及び前記第２購買確認欄は、それぞれ特定の曜日の日付を表示するようにすることで、顧客は、購買証明マークが付される日を曜日で認識できるため、特に日付を認識せずともゲームを継続することができる。
【００１５】
他の実施形態による来店促進用顧客カードでは、前記第１購買証明マーク又は前記第２購買証明マークが付される買い物時の支払いに電子マネーによる決済（スマートフォン、フェリカカード、プリペイドカード、デビットカード、クレジットカード等による決済を含み、本願においては、以下単に「電子マネー決済」という）されたとき、電子マネー決済のマーク（以下、「電子マネー使用マーク」という）が付されたボーナス欄をさらに備え、前記電子マネー決済のマークが付されると、前記第１マーク枠と前記第２マーク枠の数が前記所定数以上となったとき前記総計ポイント数又は前記パーフェクトポイント数に、さらに前記第３ポイント数を加えたポイント数が前記獲得総ポイント記入欄へ記入できるようにしている。
【考案の効果】
【００１６】
本考案の来店促進用顧客カードを用いて、前記マス目へ購買証明マークが付されるのに従いゲームが進行していくビンゴゲームを実施したとき、中央のマス目はゲーム実施の特定期間における初期の複数の日付が設定することで、購買証明マークを得ることを容易にしている。よって、中央のマス目を押さえれば、多くのビンゴ成立数を獲得できるチャンスが広がり、顧客の積極的にゲームに参加しようとする意識を高めることができ、店舗にとっては来店者数及び売上の向上が図れる。
【図面の簡単な説明】
【００１７】
【図１】本考案の第１実施形態に係る来店促進用顧客カードの構成を概略的に示す。
【図２】本考案の第２実施形態に係る来店促進用顧客カードの構成を概略的に示す。
【考案を実施するための形態】
【００１８】
以下、本考案の実施の形態について、図面を参照しながら詳細に説明する。
【００１９】
図１は、小売店でのビンゴゲームの実施に用いられる来店促進用顧客カードの第１の実施形態による構成を概略的に示している。この来店促進用顧客カード１０は、Ａ面とＢ面とが１枚の用紙に上下に配置されて、用紙の真中から二つ折りにすることで、携帯用に通常用いられている一般のカードの縦横の寸法とほぼ同一となるように構成されている。このＡ面とＢ面とは左右で１枚の用紙に横に並べて配置されて真中から二つ折りにされる構成であってもよい。若しくは、Ａ面とＢ面とが１枚の用紙の表裏に配置した構成であってもよい。
【００２０】
来店促進用顧客カード１０のＡ面は、予め定めた特定期間を表示するカレンダー１と購買確認欄２とから構成されて、カレンダー１は、予め定めた特定期間での日付のカレンダーを表示している。そして、後に説明するビンゴ対象日１ａ、お助けデー１ｂ及びビンゴカード回収期間１ｃの各日が識別可能に表示されている。
【００２１】
購買確認欄２は、３行３列のマトリクスで配置される９通りのマス目３が配置されて、互いのマス目３は、周囲の隣接するマス目３と線で繋げている。この場合、特に中央のマス目３（３ａ）を除く各マス目３を丸い円を形成する曲線で繋げ、マス目３の中の中央のマス目３ａはこの円の中心に位置して、各マス目３とはそれぞれ放射状に広がる直線で繋げている。
【００２２】
複数の各マス目３には、カレンダー１に表示されているそれぞれ異なるビンゴ対象日の日付を表示する日付表示部４を有している。顧客はビンゴ対象日に小売店を訪問して所定条件での買い物、例えば、所定金額以上の買い物又は所定の商品を購入すると、店から当該日付を日付表示部４に表示しているマス目３には購買証明マークが付される。よって、各マス目３は、それぞれ購買証明マークを付すことが可能な広さのスペースを有している。そして、図示の例では、日付表示部４はそれぞれのマス目３の枠の中に収まっていて、その上から購買証明マークが付される構成であるが、それぞれの対応するマス目３に近接させて別に設けてもよい。ここで、購買証明マークを付すとは、具体的にはスタンプの捺印やシールの貼付け、或いは文字又は記号の記入等であり、以後の説明では、スタンプの捺印で説明する。
【００２３】
中央のマス目３ａの日付表示部４は複数日付表示部４ａであって、ビンゴ対象日の日付の中で１番目から３番目までに早い三つの日付、図示の例では２４日・２５日・２６日が表示されている。ビンゴゲームにおいては、中央のマス目３ａは、他のマス目３と全て繋がっており、行・列・斜めで４通りのビンゴを成立させることができる有利な位置である。したがって、ビンゴゲームを実施する特定期間の初期に中央のマス目３ａにスタンプが捺印されると、顧客は多数のビンゴを達成するチャンスが得られる。しかも、中央のマス目３ａの日付表示部４に３通りの日付が表示されていると、中央のマス目３ａにスタンプを得る機会は三日（すなわち三回）あるため、顧客は特に意識せずとも中央のマス目３ａにスタンプを得ることになる。そして、ビンゴゲーム開始の早いうちに中央のマス目３ａにスタンプが捺印されることで、今後も他のマス目３の日付表示部４に表示されている日付の日に買い物をしてスタンプを得ようとする顧客への強い動機付けとなる。
【００２４】
ビンゴゲームにおいて、４隅に位置するマス目３は、それぞれが行・列・斜めの３通りのビンゴを成立させることができ、中央のマス目３ａの次に有利な位置である。よって、マス目３の中の４隅に位置している少なくとも一つのマス目３の日付表示部４にも複数のビンゴ対象日の日付を表示すると、顧客への一層の動機付けとなる。図示の例では、左上隅のマス目３（３ｂ）の日付表示部４を第２複数日付表示部４ｂとして二日のビンゴ対象日を表示して、このマス目３にスタンプを得る機会を二日とすることで、この左上隅のマス目３にスタンプを獲得しやすくしている。こうして、ビンゴ成立の可能性の高い中央のマス目３ａと共に４隅のマス目３にもスタンプを獲得する機会を高めれば、顧客のビンゴを達成しようとする意識を一層高めることにつながる。
【００２５】
さらに、図示の例にあっては、この二日をビンゴ対象日の中でも中央のマス目３ａの第１複数日付表示部４ａに表示されている日付より以後の日付であるが、他のマス目３の日付表示部４に表示されている日付よりは早い日付の２８日・２９日を表示している。これにより、ビンゴゲームを実施する特定期間の初期に中央のマス目３ａと４隅のマス目３ｂの両方にスタンプを獲得するとより多くのビンゴを成立させる可能性が高まり、ビンゴ実施期間中、継続して顧客にゲームへの参加意識を持ってもらえる。
【００２６】
また、図示の例では、４隅のマス目３の一つに第２複数日付表示部４ｂを設けているが、顧客により多くのビンゴ成立本数のチャンスを提供する場合には、４隅の複数のマス目３に第２複数日付表示部４ｂを設ければよい。
【００２７】
来店促進用顧客カード１０のＢ面には、最終のビンゴ対象日以後の日付が表記されて、当該日付に顧客が所定条件での買い物したことを証明する第２購買証明マークが付される第２購買確認欄５を有する。この第２購買証明マークは、マス目３に捺印される購買証明マーク（第１購買証明マーク）と同じスタンプであるが、異なるものであってもよい。この第２購買確認欄５へスタンプが捺印されれば、マス目３のうちの任意の何れかにスタンプが捺印されるのと同じに扱うこととしている。
【００２８】
例えば、或るマス目に表記されている日付の日に買い物をしておらず当該マス目へのスタンプの捺印が無いためビンゴが成立していないとき、顧客が第２購買確認欄５に捺印されているスタンプを当該マス目へスタンプが捺印されたものとして振り替えることができる。よって、第２購買確認欄５には振り替えするビンゴ対象日を記入するための対象日記入欄５ａが設けている。図示の例では、３回まで振替を指定できるように第２購買確認欄５及び対象日記入欄５ａは３通り設けられて、最終のビンゴ対象日「１４日」以後のそれぞれ異なる日付「１６日」，「１８日」，「２０日」を表記している。前述のお助けデーとはこれらの日付をいう。
【００２９】
来店促進用顧客カード１０のＢ面には、行又は列若しくは斜めの列のマス目３の全てにスタンプが捺印された行、列及び斜めの列の数、すなわちビンゴの成立数を記入する達成数記入欄６が設けられている。本例では、ビンゴの成立により小売店から提供される特典は、貯まった点数に応じて買い物時の値引きや商品券、景品等を得ることができるポイントの提供であり、ビンゴの成立数に応じたポイント点数を記入するポイント記入欄５が設けられている。本例では、１つのビンゴで３０ポイントが提供されることが示されている。
【００３０】
また、来店促進用顧客カード１０のＢ面にはマス目３の全てにスタンプが捺印されたとき、パーフェクトを表わすチェックマークを記入するパーフェクト記入欄７が設けられている。パーフェクトは、図示の例では、ビンゴの成立本数が８本であるから２４０ポイントであるが、パーフェクトのとき、ボーナスポイントを加算して２５０ポイントを提供するために、このパーフェクト記入欄７を設けている。したがって、パーフェクトのときボーナスポイントを提供しないのであれば、ポイント記入欄５には「２４０」を記入すれば済むため、このパーフェクト記入欄７は特に設ける必要はなくなる。
【００３１】
そして、ビンゴゲームで獲得したポイント記入欄５に記入のポイント数又はパーフェクトの場合の２５０ポイントを獲得ポイント欄８に記入すると共に、併せて個人情報記入欄９にポイントカード番号や氏名等の情報を記入して、カレンダー１のビンゴカード回収期間１ｃ内に小売店に提出することで、当該顧客には獲得ポイント欄８に記入のポイントが付与されることとなる。
【００３２】
図２は、ビンゴゲームの実施に用いられる来店促進用顧客カードの第２の実施形態による構成を概略的に示している。この来店促進用顧客カード２０は、Ａ面とＢ面とが１枚の用紙に左右に並べて配置されて、用紙の真中から二つ折りにすることで、携帯用に通常用いられている一般カードの縦横の寸法とほぼ同一となるように構成されている。このＡ面とＢ面とは１枚の用紙に横上下に配置されて真中から二つ折りにされる構成であってもよい。若しくは、Ａ面とＢ面とが１枚の用紙の表裏に配置した構成であってもよい。
【００３３】
来店促進用顧客カード２０のＡ面は、予め定めた特定期間を表示するカレンダー１１と購買確認欄１２とから構成されて、カレンダー１１は、予め定めた特定期間での日付のカレンダーを表示している。そして、来店促進用顧客カード１０と同様に、ビンゴ対象日１１ａ及びお助けデー１１ｂ各日が識別可能に表示されているが、ビンゴ対象日の曜日は統一されており、図示の例では月，木，金の各曜日としている。
【００３４】
購買確認欄１２は、四角の枠を３行３列のマトリクスで区画して形成される９通りのマス目１３で構成されている。マス目１３のそれぞれには、カレンダー１１に表示されているそれぞれ異なるビンゴ対象日の日付を表示する日付表示部１４を有している。来店促進用顧客カード２０でも、日付表示部１４はそれぞれのマス目１３の枠の中に収まっていて、その上から購買証明マークが付される構成であるが、それぞれの対応するマス目１３に近接させて別に設けてもよい。
【００３５】
顧客はビンゴ対象日に店舗を訪問して所定条件での買い物、例えば、所定金額以上の買い物又は所定の商品を購入すると、店舗によって当該日付を日付表示部１４に表示しているマス目１３に、前述した来店促進用顧客カード１０と同様、例えばスタンプの捺印等の購買証明マークが付される。
【００３６】
各マス目１３における日付表示部１４のビンゴ対象日の表示について、来店促進用顧客カード２０では、中央のマス目１３ａの第１複数日付表示部１４ａ及び４隅の中の２つのマス目１３ｂの各第２複数日付表示部１４ｂは、それぞれ二日のビンゴ対象日を表示している。この場合、中央のマス目１３ａの日付表示部１４ａは、ビンゴ対象日の日付の中の1番目と２番目に早い連続する二日のビンゴ対象日の日付、図示の例では「２月２２日」及び「２月２３日」が表示されている。一方、４隅のマス目１３の中の２つのマス目１３ｂの各日付表示部１４ｂには、任意の連続する二日のビンゴ対象日の日付、図示の例では、「３月１日，３月２日」と「３月８日，３月９日」とをそれぞれ表示している。
【００３７】
この来店促進用顧客カード２０では、中央のマス目１３ａにスタンプを得るには二日（すなわち二回）のチャンスがあり、ビンゴゲームを実施する特定期間の初期に中央のマス目１３ａを容易に獲得することができる。よって、顧客は、他のマス目１３の日付表示部１４に表示されているビンゴ対象日の日付の日にも買い物をしてスタンプを得ようとする意欲を高めることになる。しかも、４隅の中の２つのマス目３Ａについてもスタンプを得るのにそれぞれ二日のチャンスがあるため隅のマス目１３ｂを獲得しやすくしている。よって、隅の２つのマス目１３ｂを確保できればビンゴ成立の可能性が広がり、顧客の他のマス目１３の日付表示部１４に表示されているビンゴ対象日の日付の日に買い物をしてスタンプを得ようとする意欲が高められる。
【００３８】
来店促進用顧客カード２０のＢ面には、最終のビンゴ対象日以後の日付が表記されて、当該日付に顧客が所定条件での買い物したことを証明する第２購買証明マークが付される第２購買確認欄１５を有する。図示の例では、第２購買確認欄１５は２通り設けられて、そこに表記する日付をビンゴ対象日と同じ曜日の日付にしている。そして、前述の来店促進用顧客カード１０の第２購買確認欄５と同様、第２購買確認欄１５は、第２購買証明マークであるスタンプが捺印されれば、マス目１３のうちの任意の何れかにスタンプが捺印されるのと同じに扱うこととしている。
【００３９】
来店促進用顧客カード２０のＢ面には、行又は列若しくは斜めの列のマス目３Ａの全てにスタンプが捺印された行、列及び斜めの列の数、すなわちビンゴの成立数を記入する達成数記入欄１６が設けられている。本例では、ビンゴの成立により小売店から提供される特典は、貯まった点数に応じて買い物時の値引きや商品券、景品等を得ることができるポイントの提供であり、ビンゴの成立数に応じたポイント点数を記入するポイント記入欄５が設けられている。本例では、１つのビンゴで３０ポイントが提供されることが示されている。
【００４０】
また、来店促進用顧客カード２０のＢ面には、マス目１３の全てにスタンプが捺印されたとき、パーフェクトを表わすチェックマークを記入するパーフェクト記入欄１７が設けられている。パーフェクトは、図示の例では、ビンゴの成立本数が８本であるから２４０ポイントであるが、パーフェクトのとき、ボーナスポイントを加算して２５０ポイントを提供するために、このパーフェクト記入欄１７を設けている。したがって、パーフェクトのときボーナスポイントを提供しないのであれば、ポイント記入欄５には「２４０」を記入すれば済むため、このパーフェクト記入欄７は特に設ける必要はなくなる。
【００４１】
さらに、来店促進用顧客カード２０は、Ａ面に電子マネー決済によるボーナス欄（以下、「電子マネー決済ボーナス欄」という）１８を備える。電子マネーボーナス欄１８には、何れかのマス目１３及び第２購買確認欄１５に表示されている日付の日において、スタンプが捺印される条件の買い物時の精算に電子マネーカードが使用されたとき電子マネー使用マークが付される。電子マネーボーナス欄１８に電子マネー使用マークが付されると、所定のボーナスポイント、図示の例では「５０」ポイントが付与される。そして、Ｂ面には、電子マネーボーナス欄１８に電子マネー使用マークが付されたときチェックを記入するチェック記入欄１９を設けられている。
【００４２】
来店促進用顧客カード２０の獲得ポイント欄２１には、ビンゴゲームで獲得した獲得ポイント欄２１に記入のポイント数又はパーフェクトの場合の２５０ポイントに、電子マネーボーナス欄１８に電子マネー使用マークが付されているときにはさらに「５０」ポイントを加算したポイント数が記入されることになる。
【００４３】
また、来店促進用顧客カード２０のＢ面には、ポイント引換期間表示欄２２が設けられており、この期間内に来店促進用顧客カード２０を小売店へ提出することで、当該顧客には獲得ポイント欄２１に記入のポイントが付与されることとなる。
【００４４】
以上、本考案の実施形態について説明したが、本考案は上記実施形態に限定されるものではなく、本考案の趣旨に基づき種々の変形が可能であり、これらを本考案の範囲から排除するものではない。
【符号の説明】
【００４５】
１      カレンダー
２      購買確認欄
３      マス目
３ａ    中央のマス目
４      日付表示部
４ａ    第１複数日付表示部
３      達成数記入欄
５      第２購買確認欄
６      ポイント記入欄
７      パーフェクト記入欄
１０    来店促進用顧客カード
１１    カレンダー
１２    購買確認欄
１３    マス目
１３ａ  中央のマス目
１４    日付表示部
１４ａ  第１複数日付表示部
１５    第２購買確認欄
１６    達成数記入欄
１７    パーフェクト記入欄
２０    来店促進用顧客カード
２１    ポイント記入欄
【図１】
0003221354.tif 000003
【図２】
0003221354.tif 000004
【手続補正書】
【提出日】平成31年3月20日(2019.3.20)
【手続補正１】
【補正対象書類名】実用新案登録請求の範囲
【補正対象項目名】全文
【補正方法】変更
【補正の内容】
【実用新案登録請求の範囲】
【請求項１】
小売店が顧客の来店を促進するために顧客に供与される来店促進用顧客カードであって、
予め定められる特定期間を表示するカレンダーと、
前記カレンダーの隣に設けられており、３行３列のマトリクスで配置される九つのマス目を有する購買確認欄と、
前記マス目の中にそれぞれが配置されて、且つそれぞれには前記特定期間内の異なる日付が表示される日付表示部と、
を備え、
前記購買確認欄における４隅の前記マス目のうちの、斜めに対向しているそれぞれの一組の前記マス目を結ぶ２通りの対角線上に共通に位置している中央の前記マス目の前記日付表示部を、前記特定期間内で他の前記マス目の前記日付表示部に表示される日付よりも早い複数の日付を表示する第１複数日付表示部とし、
前記マス目は、対応する前記日付表示部に表示されている日付の日に所定条件の買い物をしたとき購買証明マークを付すことが可能な広さのスペースを有する来店促進用顧客カード。
【請求項２】
前記４隅の前記マス目の中の少なくとも一つのマス目の前記日付表示部を、前記特定期間内で他の前記マス目の前記日付表示部に表示される日付よりは早く、前記第１複数日付表示部に表示される日付よりは遅い複数の日付を表示する第２複数日付部とする請求項１に記載の来店促進用顧客カード。
【請求項３】
前記日付表示部に表示されている日付に顧客が所定条件の買い物をしたとき該当する前記マス目に前記購買証明マークが付されて、行又は列若しくは前記対角線の斜め列で連続する全ての前記マス目に前記購買証明マークが付された行，列，斜め列の合計数を記入する達成数記入欄を有する請求項１又は２に記載の来店促進用顧客カード。
【請求項４】
前記達成数記入欄に記入の数値に応じたポイント点数を記入するポイント記入欄をさらに有する請求項３に記載の来店促進用顧客カード。
【請求項５】
前記マス目の全てに前記購買証明マークが付されたときの前記ポイント点数を記入するパーフェクト記入欄をさらに有する請求項４に記載の来店促進用顧客カード。
【請求項６】
前記特定期間内の日付であって、前記マス目の何れの前記日付表示部に表示されている日付より遅い日付を表示し、表示している日付の日に所定条件の買い物をしたとき第２購買証明マークが付される第２購買確認欄を有する請求項５に記載の来店促進用顧客カード。
【請求項７】
前記日付表示部及び前記第２購買確認欄は、それぞれ特定の曜日の日付を表示する請求項６に記載の来店促進用顧客カード。
【請求項８】
前記購買証明マーク又は前記第２購買証明マークが付される買い物時の支払いに電子マネーカードで決済されたとき電子マネー使用マークが付される電子マネーボーナス欄をさらに備え、前記電子マネーボーナス欄は、ボーナスポイントのポイント数が表示されていて、
前記電子マネーボーナス欄に前記電子マネー使用マークが付されたとき、前記達成数記入欄に記入の前記ポイント点数又は前記パーフェクト記入欄に記入の前記ポイント数に、さらに前記ボーナスポイントのポイント数を加えたポイント数を記入する獲得ポイント欄を有する請求項６に記載の来店促進用顧客カード。
【手続補正２】
【補正対象書類名】明細書
【補正対象項目名】０００９
【補正方法】変更
【補正の内容】
【０００９】
上記課題を解決するために、小売店が顧客の来店を促進するために顧客に供与される来店促進用顧客カードは、予め定められる特定期間を表示するカレンダーと、前記カレンダーの隣に設けられており、３行３列のマトリクスで配置される九つのマス目を有する購買確認欄と、前記マス目の中にそれぞれが配置されて、且つそれぞれには前記特定期間内の異なる日付が表示される日付表示部と、を備え、前記購買確認欄における４隅の前記マス目のうちの、斜めに対向しているそれぞれの一組の前記マス目を結ぶ２通りの対角線上に共通に位置している中央の前記マス目の前記日付表示部を、前記特定期間内で他の前記マス目の前記日付表示部に表示される日付よりも早い複数の日付を表示する第１複数日付表示部とし、前記マス目は、対応する前記日付表示部に表示されている日付の日に所定条件の買い物をしたとき購買証明マークを付すことが可能な広さのスペースを有する構成としている。
【手続補正３】
【補正対象書類名】明細書
【補正対象項目名】００１０
【補正方法】変更
【補正の内容】
【００１０】
加えて、前記４隅の前記マス目の中の少なくとも一つのマス目の前記日付表示部を、前記特定期間内で他の前記マス目の前記日付表示部に表示される日付よりは早く、前記第１複数日付表示部に表示される日付よりは遅い複数の日付を表示する第２複数日付部とすれば、早い時期にビンゴを成立させるチャンスが高まるため、顧客のゲームに参加する意欲がさらに高まる。
【手続補正４】
【補正対象書類名】明細書
【補正対象項目名】００１５
【補正方法】変更
【補正の内容】
【００１５】
他の実施形態による来店促進用顧客カードでは、前記購買証明マーク又は前記第２購買証明マークが付される買い物時の支払いに電子マネー決済（スマートフォン、フェリカカード、プリペイドカード、デビットカード、クレジットカード等による決済）がされたとき電子マネー使用マークが付される電子マネーボーナス欄をさらに備え、前記電子マナーボーナス欄は、ボーナスポイントのポイント数が表示されていて、前記電子マナーボーナス欄に前記電子マネー使用マークが付されたとき、前記達成数記入欄に記入の前記ポイント点数又は前記パーフェクト記入欄に記入の前記ポイント数に、さらに前記ボーナスポイントのポイント数を加えたポイント数を記入する獲得ポイント欄を有する。
【手続補正５】
【補正対象書類名】明細書
【補正対象項目名】００２９
【補正方法】変更
【補正の内容】
【００２９】
来店促進用顧客カード１０のＢ面には、行又は列若しくは斜めの列のマス目３の全てにスタンプが捺印された行、列及び斜めの列の数、すなわちビンゴの成立数を記入する達成数記入欄６が設けられている。本例では、ビンゴの成立により小売店から提供される特典は、貯まった点数に応じて買い物時の値引きや商品券、景品等を得ることができるポイントの提供であり、ビンゴの成立数に応じたポイント点数を記入するポイント記入欄が設けられている。本例では、１つのビンゴで３０ポイントが提供されることが示されている。
【手続補正６】
【補正対象書類名】明細書
【補正対象項目名】００３０
【補正方法】変更
【補正の内容】
【００３０】
また、来店促進用顧客カード１０のＢ面にはマス目３の全てにスタンプが捺印されたとき、パーフェクトを表わすチェックマークを記入するパーフェクト記入欄７が設けられている。パーフェクトは、図示の例では、ビンゴの成立本数が８本であるから２４０ポイントであるが、パーフェクトのとき、ボーナスポイントを加算して２５０ポイントを提供するために、このパーフェクト記入欄７を設けている。したがって、パーフェクトのときボーナスポイントを提供しないのであれば、ポイント記入欄には「２４０」を記入すれば済むため、このパーフェクト記入欄７は特に設ける必要はなくなる。
【手続補正７】
【補正対象書類名】明細書
【補正対象項目名】００３１
【補正方法】変更
【補正の内容】
【００３１】
そして、ビンゴゲームで獲得したポイント記入欄に記入のポイント数又はパーフェクトの場合の２５０ポイントを獲得ポイント欄８に記入すると共に、併せて個人情報記入欄９にポイントカード番号や氏名等の情報を記入して、カレンダー１のビンゴカード回収期間１ｃ内に小売店に提出することで、当該顧客には獲得ポイント欄８に記入のポイントが付与されることとなる。
【手続補正８】
【補正対象書類名】明細書
【補正対象項目名】００３９
【補正方法】変更
【補正の内容】
【００３９】
来店促進用顧客カード２０のＢ面には、行又は列若しくは斜めの列のマス目３Ａの全てにスタンプが捺印された行、列及び斜めの列の数、すなわちビンゴの成立数を記入する達成数記入欄１６が設けられている。本例では、ビンゴの成立により小売店から提供される特典は、貯まった点数に応じて買い物時の値引きや商品券、景品等を得ることができるポイントの提供であり、ビンゴの成立数に応じたポイント点数を記入するポイント記入欄が設けられている。本例では、１つのビンゴで３０ポイントが提供されることが示されている。
【手続補正９】
【補正対象書類名】明細書
【補正対象項目名】００４０
【補正方法】変更
【補正の内容】
【００４０】
また、来店促進用顧客カード２０のＢ面には、マス目１３の全てにスタンプが捺印されたとき、パーフェクトを表わすチェックマークを記入するパーフェクト記入欄１７が設けられている。パーフェクトは、図示の例では、ビンゴの成立本数が８本であるから２４０ポイントであるが、パーフェクトのとき、ボーナスポイントを加算して２５０ポイントを提供するために、このパーフェクト記入欄１７を設けている。したがって、パーフェクトのときボーナスポイントを提供しないのであれば、ポイント記入欄には「２４０」を記入すれば済むため、このパーフェクト記入欄７は特に設ける必要はなくなる。
【手続補正１０】
【補正対象書類名】明細書
【補正対象項目名】００４５
【補正方法】変更
【補正の内容】
【００４５】
１      カレンダー
２      購買確認欄
３      マス目
３ａ    中央のマス目
４      日付表示部
４ａ    第１複数日付表示部
５      第２購買確認欄
６      達成数記入欄
７      パーフェクト記入欄
１０    来店促進用顧客カード
１１    カレンダー
１２    購買確認欄
１３    マス目
１３ａ  中央のマス目
１４    日付表示部
１４ａ  第１複数日付表示部
１５    第２購買確認欄
１６    達成数記入欄
１７    パーフェクト記入欄
２０    来店促進用顧客カード
２１    獲得ポイント欄